(57)【要約】  【課題】荷物の詰め込み作業や詰め替え作業が容易にできるかばんを提供する。  【解決手段】物を出し入れする開口部１２を備えたかばん本体部１０と、かばん本体部１０と別体に形成され、かばん本体部１０に収納された物が、かばん本体部１０の中でずれることを防止する収納物ずれ防止部２０を備える。かばん本体部１０の内側に、収納物ずれ防止部２０を着脱自在に固定する固定部１７Ｌ、１７Ｒを備える。【選択図】図２
2006239167.tif 000002
【特許請求の範囲】
【請求項１】
物を出し入れする開口部を備えたかばん本体部と、
前記かばん本体部と別体に形成され、前記かばん本体部に収納された物が前記かばん本体部の中でずれることを防止する収納物ずれ防止部と、を備え、
前記かばん本体部は、前記かばん本体部の内側に、前記収納物ずれ防止部を着脱自在に固定する固定部を備える、
ことを特徴とするかばん。
【請求項２】
前記物は衣類であって、
前記収納物ずれ防止部は、基板と、前記衣類を前記基板に固定するための衣類固定バンドと、を備え、前記衣類を前記基板と前記衣類固定バンドとの間に挟んで着脱自在に固定する、
ことを特徴とする請求項１に記載のかばん。
【請求項３】
前記収納物ずれ防止部の前記基板は、たわみ可能な部材を用いて四辺を有する略矩形状に形成され、
前記かばん本体部の前記固定部は、前記かばん本体部の内側に開口部を向かい合わせて取り付けられた一対のポケットであって、前記収納物ずれ防止部の前記基板の一辺及びその一辺に向かい合う他辺を差込み可能なポケットとして構成される、
ことを特徴とする請求項２に記載のかばん。
【請求項４】
前記収納物ずれ防止部の前記基板は、四辺を有する略矩形状に形成され、
前記かばん本体部の前記固定部は、一端及び他端が前記かばん本体部の内側に固定された固定バンドであって、前記かばん本体部と前記固定バンドとの間に前記収納物ずれ防止部の前記基板を差し込み可能な固定バンドとして構成される、
ことを特徴とする請求項２に記載のかばん。
【発明の詳細な説明】
【技術分野】
【０００１】
本発明はかばんに係り、特に物の詰め込み作業を容易に行えるかばんに関する。
【背景技術】
【０００２】
かばん内部に収納した衣類のずれを防ぐための手段として、衣類止め部材を備えたかばんがある。特許文献１には、かばんの内部にいれた荷物を固定することができる荷物固定用絞め具及びその荷物固定用絞め具を備えたスーツケースが開示されている。
【特許文献１】特開２００２−２７２５１８号公報
【発明の開示】
【発明が解決しようとする課題】
【０００３】
特許文献１の荷物固定用絞め具は、かばんから取り外すことができない。そのため、一旦かばんに物を詰め込んだあと、詰め込み直す場合には、一度絞めた荷物固定用絞め具をはずしてかばんから物を取り出す必要があるため、詰め込み直す作業に手間がかかる。また、特許文献１の荷物固定用絞め具により固定されたものは、かばんを開くと見えてしまう。そのため、特に人前でかばんを開く場合には、他人の目が気になることがある。
【０００４】
本発明はこのような問題点に鑑みてなされたもので、荷物の詰め直し作業が容易にでき、更に、収納物が見えにくいかばんを提供することを目的とする。
【課題を解決するための手段】
【０００５】
上記課題を解決するため、本発明に係るかばんは、物を出し入れする開口部を備えたかばん本体部と、前記かばん本体部と別体に形成され、前記かばん本体部に収納された物が前記かばん本体部の中でずれることを防止する収納物ずれ防止部と、を備え、前記かばん本体部は、前記かばん本体部の内側に、前記収納物ずれ防止部を着脱自在に固定する固定部を備える。
【０００６】
この発明により、かばんに収納する物を収納物ずれ防止部に固定し、その収納物ずれ防止部をかばん本体部の固定部に固定することができる。そのため、かばん本体部に収納した物が、かばんの持ち運びによってずれることを防止できる。また、かばんの詰め直し作業をするときは、かばん本体部の固定部から収納物ずれ防止部をはずせばよく、収納する物を収納物ずれ防止部に固定する手間を省くことができる。
【０００７】
また、前記物は衣類であって、前記収納物ずれ防止部は、基板と、前記衣類を前記基板に固定するための衣類固定バンドとを備え、前記衣類を前記基板と前記衣類固定バンドとの間に挟んで着脱自在に固定してもよい。
【０００８】
この発明により、衣類を持ち運ぶときには、収納物ずれ防止部の基板上に衣類を固定し、その収納物ずれ防止部をかばん本体部に固定するため、衣類がかばんの中でずれることを防ぐ。また、衣類を着用するときには、収納物ずれ防止部から衣類をはずして着用することができる。
【０００９】
また、前記収納物ずれ防止部の前記基板は、たわみ可能な部材を用いて四辺を有する略矩形状に形成され、前記かばん本体部の前記固定部は、前記かばん本体部の内側に開口部を向かい合わせて取り付けられた一対のポケットであって、前記収納物ずれ防止部の前記基板の一辺及びその一辺に向かい合う他辺を差込み可能なポケットとして構成される。
【００１０】
この発明により、基板がたわみ可能なため、ポケットへの着脱が容易にでき、収納物ずれ防止部をかばん本体部の内側に固定しやすくなる。また、収納物ずれ防止部における物を固定した面を裏返した状態で、収納物ずれ防止部の基板をポケットに差し込むことにより、物が見えにくい状態でかばんに物を収納することができる。
【００１１】
また、前記収納物ずれ防止部の前記基板は、四辺を有する略矩形状に形成され、前記かばん本体部の前記固定部は、一端及び他端が前記かばん本体部の内側に固定された固定バンドであって、前記かばん本体部と前記固定バンドとの間に前記収納物ずれ防止部の前記基板を差し込み可能な固定バンドとして構成されてもよい。
【発明の効果】
【００１２】
本発明によれば、かばん本体部と収納物ずれ防止部とが別体に形成され着脱可能に固定されるため、荷物の詰め込み作業や詰め直し作業が容易にできる。更に、収納物ずれ防止部を裏返してかばん本体部に固定することにより、収納物が見えにくいかばんを提供することができる。
【発明を実施するための最良の形態】
【００１３】
以下、添付した図面を参照し本発明の好ましい実施の形態を説明する。
【００１４】
[第一実施形態]
図１は、本発明の好ましい実施形態に係るかばん１を示す斜視図である。かばん１は、
正面１０ａ、背面１０ｂ、左側面１０ｃ、右側面１０ｄ、上面１０ｅ、底面１０ｆからなる横長の略直方体状に形成されたかばん本体部１０を備える。正面１０ａ及び背面１０ｂには、かばん本体部１０を持つための把持部１１を備える。
【００１５】
次に図２に基づいて、かばん本体部１０の内部と、かばん本体部１０に収納される衣類固定板２０について説明する。図２は、かばん本体部１０を広げた状態及び衣類固定板２０を示す斜視図である。
【００１６】
かばん本体部１０における開口部１２の周囲には、開口部１２を開閉する部材としてファスナーが取り付けられる。ファスナーは、かばん本体部１０に固定され、開口部１２を閉じるときにかみ合わせるエレメント（務歯部）１５と、ファスナーの開閉時に指で保持してエレメント１５をかみ合わせたり離したりするための二つのスライダー１６Ｌ、１６Ｒとを備える。かばん本体部１０の開口部１２を示すときは各スライダー１６Ｌ、１６Ｒをスライドさせてエレメント１５をかみ合わせることにより、開口部１２を閉じる。かばん本体部１０の背面１０ｂの内側面１３には、背面１０ｂの短辺及び長辺の一部に沿って固定され、開口部１８Ｌ，１８Ｒが内側面１３の中心方向に向けて取り付けたれた一対のポケット１７Ｌ，１７Ｒを備える。すなわち、一対のポケット１７Ｌ，１７Ｒの開口部１８Ｌ，１８Ｒは、互いに向かい合うように取り付けられる。かばん本体部１０は、ナイロン、ポリエステル、ポリ塩化ビニル素材を用いて作られる。かばん本体部１０の内装は、ナイロンを用いて作られる。
【００１７】
衣類固定板２０は、略矩形状の基板２１と、基板２１に一端が固定され、他端に結合部材としてのバックル２２を備えた一対の衣類止めバンド２３Ｌ、２３Ｒとを備える。基板２１は、たわみ可能なＰＰ（ポリプロピレン）樹脂を内装し、外皮はナイロンを用いて作られる。基板２１は、たわみ可能な部材であればＰＰ樹脂に限らない。
【００１８】
衣類止めバンド２３Ｌ、２３Ｒは、伸縮性素材、例えばゴムを用いて作られる。
【００１９】
次に図３及び図４に基づいて本実施の形態に係るかばん１の使用方法について説明する。
【００２０】
まず、かばん１から衣類固定板２０を取り出し、バックル２２をはずす。次に、基板２１上に折り畳んだ衣類３０を載置する。そして、衣類３０の上に衣類止めバンド２３Ｌ、Ｒを載置し、バックル２２をはめ合わせる。これにより、衣類固定板２０に衣類３０を固定することができる。次に、基板２１とかばん本体部１０の内側面１３とが接触するように、衣類固定板２０の短辺をかばん本体部１０の内側に取り付けられたポケット１７Ｌ，１７Ｒに差し込む。これにより衣類固定板２０をかばん本体部１０に固定することができる。そのため、かばん１を持ち運んでも、衣類固定板２０に固定された衣類３０がずれるが防止される。また、かばん１に物を詰め直すときには、衣類３０を衣類固定板２０に固定した状態で、衣類固定板２０をかばん本体部１０から取り外すことができる。そのため、衣類３０を衣類固定板２０に固定する作業を再度する必要がなく、かばん１に物を詰めなおす作業がし易くなる。
【００２１】
図３では、基板２１とかばん本体部１０の内側面１３とを接触させて、すなわち、衣類３０がかばん本体部１０を広げたときに見えるように衣類固定板２０をかばん本体部１０に固定した。しかし、図４に示すように、この衣類固定板２０を裏返してかばん本体部１０に固定してもよい。図４は、基板２１に隠れた衣類３０、バックル２２、衣類止めバンド２３Ｌ、２３Ｒを点線で表す。
【００２２】
衣類３０を衣類固定板２０に固定した後、衣類３０をかばん本体部１０の内側面１３に向き合わせた状態で、衣類固定板２０の短辺をかばん本体部１０のポケット１７Ｌ，１７Ｒに差し込んでも良い。これにより、かばん本体部１０を開いたときにも、衣類固定部２０の裏面（衣類止めバンド２３Ｌ、２３Ｒがない面）が見え、かばん本体部１０に収納した衣類３０が見えなくなる。
【００２３】
なお、衣類固定板２０を使用しない場合には、かばん本体部１０の固定部から衣類固定板２０を取り外しておいても良い。これにより、かばん本体部１０の収容量を増やすことができる。
【００２４】
また、本実施の形態に係るポケット１７Ｌ，１７Ｒは、かばん本体部１０の内側に取り付けられた一対のポケット１７Ｌ，１７Ｒとして形成したが、図５に示すようにかばん本体部１０の内側面１３の四隅に取り付けた四つの三角形状のポケット１７ａ、…、１７ａとして形成してもよい。そして、衣類固定板２０の基板２１の隅部を、ポケット１７ａ、…、１７ａに差し込むことにより、衣類固定板２０をかばん本体部１０に着脱自在に固定してもよい。
【００２５】
[第二実施形態]
図６は、本発明にかかるかばんの第二実施形態を示す図であって、かばん本体１０に衣類固定板２０を固定した状態を示す。
【００２６】
本実施の形態に係るかばん１は、衣類固定板２０をかばん本体部１０の内側に固定する部材として、第一実施形態におけるポケット１７Ｌ，１７Ｒに代えて、内側面１３の四隅に固定バンド１９を備える。固定バンド１９は、一端がかばん本体部１０の内側面１３の短辺部分に固定され、他端が長辺に部分に固定される。そして、固定バンド１９と内側面１３との間に衣類固定板２０の基板２１を差し込めるように形成する。これにより、衣類固定板２０をかばん本体部１０の内側面１３に着脱自在に固定することができる。図４では、衣類固定板２０における衣類固定バンド２３Ｌ、２３Ｒがある面が見える状態で固定しているが、第一実施形態と同様、衣類固定板２０を裏返して、衣類３０が見えない状態で固定しても良い。
【００２７】
衣類固定板２０をかばん本体部１０の内側面１３に固定する部材として、他の部材、例えばフック部とループ部とからなる面ファスナーを用いても良い。この場合、内側面１３にフック部を取り付けておき、衣類固定板２０の裏面にループ部を取り付けておく。そして、フック部とループ部とをかみ合わせたりはずしたりすることにより、衣類固定板２０をかばん本体部１０に着脱自在に固定することができる。
【００２８】
上記の説明では、かばん１に衣類３０を収納するとして説明したが、衣類固定板２０に衣類３０ではない物、例えば本やノート、バスタオルなどを固定してもよい。
【図面の簡単な説明】
【００２９】
【図１】かばん１の全体斜視図
【図２】かばん本体部１０と衣類固定板２０とを示す全体斜視図
【図３】衣類固定板２０をかばん本体部１０に固定した状態を示す斜視図
【図４】衣類固定板２０を裏返してかばん本体部１０に固定した状態を示す斜視図
【図５】衣類固定板２０をかばん本体部１０に固定した状態を示す斜視図
【図６】第二実施形態にかかるかばんであって、衣類固定板２０をかばん本体部１０に固定した状態を示す図
【符号の説明】
【００３０】
１：かばん、１０：かばん本体部、１１：把持部、１２：開口部、１３：内側面、１５：エレメント、１６Ｌ，１６Ｒ：スライダー、１７Ｌ，１７Ｒ：ポケット、１７ａ：ポケット、１８Ｌ，１８Ｒ：開口部、１９：固定バンド、２０：衣類固定板、２１：基板、２２：バックル、２３：衣類止めベルト、３０：衣類
【図１】
2006239167.tif 000003
【図２】
2006239167.tif 000004
【図３】
2006239167.tif 000005
【図４】
2006239167.tif 000006
【図５】
2006239167.tif 000007
【図６】
2006239167.tif 000008